(57)【要約】  【課題】  ＶＣＲの再生画像の性能改善を行うと共に、装置のコストダウンを図れる複合型記録再生装置を提供する。  【解決手段】  ＶＣＲ部１３による再生を行う場合、ＶＣＲ部１３からの再生映像信号は、ＤＶＤレコーダ部１４に備えられているＴＢＣ回路と画質調整回路とＯＳＤ回路とＩ／Ｐ変換回路とを含む映像信号処理回路を介して表示装置へ出力される。したがって、従来のような出力スイッチが不要となるためコストダウンが図れ、ＴＢＣ回路によりＶＣＲ再生画質性能の改善をでき、また、Ｉ／Ｆ変換回路により、コストアップ無しにＶＣＲ再生出力のプログレッシブ化が可能になる。また、ＯＳＤ回路により、ＶＣＲ側にＯＳＤ回路を搭載する必要が無くなり、コストダウンが可能になる。また、画質調整回路により、ＶＣＲ側に画質調整回路を搭載する必要が無くなり、コストダウンが可能になる。【選択図】      図１
2006100904.tif 000002
【特許請求の範囲】
【請求項１】
アナログ記録再生機器であるビデオカセットレコーダ部と、デジタル記録再生機器であ
るＤＶＤレコーダ部とを備えた複合型記録再生装置において、チューナーからのテレビ映
像信号および外部入力端子からの映像信号の何れかを選択して前記ビデオカセットレコー
ダ部に出力する入力スイッチを備え、前記ビデオカセットレコーダ部の出力端子と前記Ｄ
ＶＤレコーダ部の入力端子とを接続した構成を有し、前記ビデオカセットレコーダ部によ
る再生を行う場合には、前記ビデオカセットレコーダ部からの再生映像信号を前記ＤＶＤ
レコーダ部に備えられているＴＢＣ回路と画質調整回路とＯＳＤ回路とインターレース／
プログレッシブ変換回路とを含む映像信号処理回路を介して表示装置へ出力するように構
成したことを特徴とする複合型記録再生装置。
【請求項２】
アナログ記録再生機器とデジタル記録再生機器とを備えた複合型記録再生装置において
、チューナーからのテレビ映像信号および外部入力端子からの映像信号の何れかを選択し
て前記アナログ記録再生機器に出力する入力スイッチを備え、前記アナログ記録再生機器
の出力端子と前記デジタル記録再生機器の入力端子とを接続した構成を有し、前記アナロ
グ記録再生装置による再生を行う場合には、前記アナログ記録再生機器からの再生映像信
号を前記デジタル記録再生機器に備えられている映像信号処理回路を介して表示装置へ出
力するように構成したことを特徴とする複合型記録再生装置。
【請求項３】
前記アナログ記録再生機器はビデオカセットレコーダ部であり、前記デジタル記録再生
装置はＤＶＤレコーダ部であることを特徴とする請求項２に記載の複合型記録再生装置。
【請求項４】
前記映像信号処理回路は、ＴＢＣ回路と画質調整回路とＯＳＤ回路とインターレース／
プログレッシブ変換回路とを含むことを特徴とする請求項２に記載の複合型記録再生装置
。
【発明の詳細な説明】
【技術分野】
【０００１】
本発明は、アナログ記録再生機器であるＶＣＲ（ビデオカセットレコーダ）と、デジタ
ル記録再生機器であるＤＶＤ（Digital Versatile Disc）レコーダとを備えた複合型記録
再生装置に関する。
【背景技術】
【０００２】
従来から、アナログ系のコンポジットビデオ信号を入力して記録／再生することが可能
なＶＴＲやＶＣＲなどのアナログ記録再生機器が知られている。また、近年では、コンポ
ジットビデオ信号とＹＣビデオ信号とデジタルビデオ信号とコンポーネントビデオ信号と
の何れかを入力して記録／再生することが可能なＤＶＤレコーダなどのデジタル記録再生
機器が普及してきている。
【０００３】
そして、アナログ記録再生機器であるＶＣＲとデジタル記録再生機器であるＤＶＤレコ
ーダとを複合した複合型記録再生装置も普及してきている。図２はこの種の従来の複合型
記録再生装置の構成を示すブロック図である。
【０００４】
この図２に示すように、この複合型記録再生装置は、図示しないアンテナで受信したテ
レビジョン放送信号から所望のチャンネルの映像音声信号を取り出すチューナー１と、記
録媒体としてのビデオテープ（磁気テープ）に映像音声信号を記録したり、ビデオテープ
に記録された映像音声信号を再生したりするＶＣＲ部３と、記録媒体としてのＤＶＤに映
像音声信号を記録したり、ＤＶＤに記録された映像音声信号を再生したりするＤＶＤレコ
ーダ部４と、チューナー１からのテレビ映像信号と外部入力端子７からの映像信号とＶＣ
Ｒ部３からの再生映像信号との何れかを選択してＶＣＲ部３およびＤＶＤレコーダ部４に
出力する入力スイッチ２と、ＶＣＲ部３の出力信号またはＤＶＤレコーダ部４の出力信号
を選択し出力する出力スイッチ５と、この出力スイッチ５からの映像信号を増幅してプロ
グレッシブ方式のテレビジョン受像機の表示装置（図示せず）に出力する出力ドライバ６
とを備えている。
【０００５】
ＶＣＲ部３には、入力信号をそのままスルーパスするスルーパス回路３１と、映像信号
に対して映像の画質調整を行う画質調整回路３２と、図示しないＣＰＵから指示された文
字情報に対応する映像信号を生成して画質調整回路３２からの映像信号に加算するＯＳＤ
（オン・スクリーン・ディスプレイ）処理を行うＯＳＤ回路３３とが含まれている。ＤＶ
Ｄレコーダ部４には、図３に示すような構成要素が含まれている。
【０００６】
図３はＤＶＤレコーダ部４（または後述する図１中のＤＶＤレコーダ部１４）に備えら
れる映像信号処理回路の構成を示すブロック図である。この映像信号処理回路は、ビデオ
デコーダ４１、ＴＢＣ（ Time Base Error Corrector ）回路４２、ＭＰＥＧ（ Moving P
icture Experts Group ）エンコーダ４３、ＩＤＥ（ Integrated Device Electronics ）
インターフェース４４、ＭＰＥＧデコーダ４５、切換スイッチ４６、画質調整回路４７、
ＯＳＤ回路４８、Ｉ／Ｐ（インターレース／プログレッシブ）変換回路４９、およびビデ
オエンコーダ５０などを備えている。
【０００７】
ビデオデコーダ４１は、入力したＮＴＳＣ方式やＰＡＬ方式などのアナログ映像信号を
デコードしてデジタル映像信号に変換し、ＴＢＣ回路４２は、ビデオデコーダ４１からの
デジタル映像信号を入力し、そのデジタル映像信号の時間軸を整え、正規化する。ＭＰＥ
Ｇエンコーダ４３は、ＴＢＣ回路４２からのデジタル映像信号をＭＰＥＧ方式でエンコー
ドして圧縮する。ＩＤＥインターフェース４４は、記録時には、ＭＰＥＧエンコーダ４３
からの圧縮されたデジタル映像信号を受信し、そのデジタル映像信号をＤＶＤドライブに
送信し、再生時には、ＤＶＤドライブからのデジタル映像信号を受信して、ＭＰＥＧデコ
ーダ４５へ送信する。
【０００８】
選択スイッチ４６は、ＤＶＤドライブによる再生時にはＭＰＥＧデコーダ４５の出力信
号を選択し、その他の場合にはＴＢＣ回路４２の出力信号を選択し、画質調整回路４７へ
入力する。即ち、選択スイッチ４６は、入力スイッチ２がＶＣＲ部３の出力を選択した場
合（共通接点２１が接点２２に接続された場合）、入力スイッチ２がチューナー１を選択
した場合（共通接点２１が接点２３に接続された場合）、あるいは入力スイッチ２が外部
入力端子７を選択した場合（共通接点２１が接点２４に接続された場合）には、ＴＢＣ回
路４２の出力信号を選択する。
【０００９】
画質調整回路４７は、選択スイッチ４６からのデジタル映像信号を入力し、そのデジタ
ル映像信号に対して画質調整処理を行い、ＯＳＤ回路４８は、図示しないＣＰＵから指示
された文字情報に対応する映像信号を生成して画質調整回路４７からの映像信号に加算す
るＯＳＤ処理を行う。Ｉ／Ｐ変換回路４９は、ＯＳＤ回路４８からのインターレースのデ
ジタル映像信号をプログレッシブのデジタル映像信号に変換し、ビデオエンコーダ５０は
、前記プログレッシブのデジタル映像信号をエンコードしてプログレッシブのアナログ映
像信号に変換し、そのアナログ映像信号を図２中の出力ドライバ６へ出力する。
【特許文献１】特開２００４−１５９１９１号公報
【特許文献２】特開２００２−２４７５２０公報
【発明の開示】
【発明が解決しようとする課題】
【００１０】
ところで、このような構成の従来の複合型記録再生装置において、通常のＶＣＲ側の再
生時には、出力スイッチ５がＶＣＲ部３の出力側に設定され（共通接点５１が接点５２に
接続され）、ＶＣＲ部３の再生信号が出力ドライバ６を介して直接テレビジョン受像機に
出力される。また、ＶＣＲ部３からＤＶＤレコーダ部４へのダビング時には、入力スイッ
チ２はＶＣＲ部３の出力側に設定され（共通接点２１が接点２２に接続され）、ＶＣＲ部
３の再生信号がＤＶＤレコーダ部４に入力される。
【００１１】
しかしながら、ＶＣＲ側の再生時には、再生の画質性能はＶＣＲ部３の映像信号処理回
路のみにより決定されるので、ＶＣＲ部３の再生の画質性能を改善するためには、ＶＣＲ
部３に画質性能を改善する専用の回路を追加する必要があり、これにより、装置のコスト
アップに繋がるという課題があった。
【００１２】
なお、特許文献１の従来技術は、テレシネ変換やプロジェクタにおける画質の劣化を抑
制するものであり、ＶＣＲとＤＶＤレコーダとの複合型記録再生装置におけるＶＣＲの再
生画像の性能を改善するものではない。また、特許文献２の従来技術は、ＤＶＤプレイヤ
ーなどの映像信号を入力してプログレッシブ方式のテレビ受像機で得る画質の向上を図る
ものであり、この従来技術も、ＶＣＲとＤＶＤレコーダとの複合型記録再生装置における
ＶＣＲの再生画像の性能を改善するものではない。
【００１３】
本発明は、上記のような課題を解決するためになされたもので、ＶＣＲの再生画像の性
能改善を行うと共に、装置のコストダウンを図れる複合型記録再生装置を提供することを
目的とする。
【課題を解決するための手段】
【００１４】
上記目的を達成するために、請求項１の発明は、アナログ記録再生機器であるＶＣＲ部
と、デジタル記録再生機器であるＤＶＤレコーダ部とを備えた複合型記録再生装置におい
て、チューナーからのテレビ映像信号および外部入力端子からの映像信号の何れかを選択
して前記ＶＣＲ部に出力する入力スイッチを備え、前記ＶＣＲ部の出力端子と前記ＤＶＤ
レコーダ部の入力端子とを接続した構成を有し、前記ＶＣＲ部による再生を行う場合には
、前記ＶＣＲ部からの再生映像信号を前記ＤＶＤレコーダ部に備えられているＴＢＣ回路
と画質調整回路とＯＳＤ回路とＩ／Ｐ変換回路とを含む映像信号処理回路を介して表示装
置へ出力するように構成したことを特徴とする複合型記録再生装置を提供する。
【００１５】
この構成において、ＶＣＲ部による再生を行う場合、前記ＶＣＲ部からの再生映像信号
は、ＤＶＤレコーダ部に備えられているＴＢＣ回路と画質調整回路とＯＳＤ回路とＩ／Ｐ
変換回路とを含む映像信号処理回路を介して表示装置へ出力される。
【００１６】
したがって、この構成によれば、従来のようなＶＣＲ出力とＤＶＤレコーダ出力との切
り換えを行う出力スイッチが不要となるためコストダウンを図れ、ＴＢＣ回路により、ア
ナログＶＣＲの欠点である再生ジッタおよび色むら（ＰＭノイズ）が除去された良好な画
質の映像信号が得られ、ＶＣＲ再生画質性能の改善を実現することができる。また、ＤＶ
ＤレコーダのＩ／Ｆ変換回路を経由してＶＣＲ再生信号を出力することにより、コストア
ップ無しにＶＣＲ再生出力のプログレッシブ化が可能になる。また、ＤＶＤレコーダのＯ
ＳＤ回路を経由してＶＣＲ再生信号を出力することにより、ＶＣＲ側にＯＳＤ回路を搭載
する必要が無くなり、装置のコストダウンが可能になる。また、ＤＶＤレコーダの画質調
整回路を経由してＶＣＲ再生信号を出力することにより、ＶＣＲ側に画質調整回路を搭載
する必要が無くなり、装置のコストダウンが可能になる。
【００１７】
請求項２の発明は、アナログ記録再生機器とデジタル記録再生機器とを備えた複合型記
録再生装置において、チューナーからのテレビ映像信号および外部入力端子からの映像信
号の何れかを選択して前記アナログ記録再生機器に出力する入力スイッチを備え、前記ア
ナログ記録再生機器の出力端子と前記デジタル記録再生機器の入力端子とを接続した構成
を有し、前記アナログ記録再生装置による再生を行う場合には、前記アナログ記録再生機
器からの再生映像信号を前記デジタル記録再生機器に備えられている映像信号処理回路を
介して表示装置へ出力するように構成したことを特徴とする複合型記録再生装置を提供す
る。
【００１８】
この構成において、アナログ記録再生機器による再生を行う場合、前記アナログ記録再
生機器からの再生映像信号は、デジタル記録再生機器に備えられている映像信号処理回路
を介して表示装置へ出力される。
【００１９】
したがって、この構成によれば、従来のようなアナログ記録再生機器出力とデジタル記
録再生機器出力との切り換えを行う出力スイッチが不要となるためコストダウンを図れる
と共に、アナログ記録再生機器の再生画質性能の改善を実現することができる。
【００２０】
請求項３の発明では、請求項２の発明において、アナログ記録再生機器はＶＣＲ部であ
り、デジタル記録再生装置はＤＶＤレコーダ部であるので、ＶＣＲ部とＤＶＤレコーダ部
とを備えた複合型記録再生装置に適用でき、ＶＣＲ部の再生画質性能を改善することがで
きる。
【００２１】
請求項４の発明では、請求項２の発明において、映像信号処理回路は、ＴＢＣ回路と画
質調整回路とＯＳＤ回路とＩ／Ｐ変換回路とを含む。
【００２２】
したがって、ＴＢＣ回路により、アナログＶＣＲの欠点である再生ジッタおよび色むら
（ＰＭノイズ）が除去された良好な画質の映像信号が得られ、ＶＣＲ再生画質性能の改善
を実現することができる。また、ＤＶＤレコーダのＩ／Ｆ変換回路を経由してＶＣＲ再生
信号を出力することにより、コストアップ無しにＶＣＲ再生出力のプログレッシブ化が可
能になる。また、ＤＶＤレコーダのＯＳＤ回路を経由してＶＣＲ再生信号を出力すること
により、ＶＣＲ側にＯＳＤ回路を搭載する必要が無くなり、装置のコストダウンが可能に
なる。また、ＤＶＤレコーダの画質調整回路を経由してＶＣＲ再生信号を出力することに
より、ＶＣＲ側に画質調整回路を搭載する必要が無くなり、装置のコストダウンが可能に
なる。
【発明の効果】
【００２３】
以上のように本発明によれば、アナログ記録再生機器であるＶＣＲ部と、デジタル記録
再生機器であるＤＶＤレコーダ部とを備えた複合型記録再生装置において、チューナーか
らのテレビ映像信号および外部入力端子からの映像信号の何れかを選択して前記ＶＣＲ部
に出力する入力スイッチを備え、前記ＶＣＲ部の出力端子と前記ＤＶＤレコーダ部の入力
端子とを接続した構成を有し、前記ＶＣＲ部による再生を行う場合には、前記ＶＣＲ部か
らの再生映像信号を前記ＤＶＤレコーダ部に備えられているＴＢＣ回路と画質調整回路と
ＯＳＤ回路とＩ／Ｐ変換回路とを含む映像信号処理回路を介して表示装置へ出力するよう
に構成したので、従来のようなＶＣＲ出力とＤＶＤレコーダ出力との切り換えを行う出力
スイッチが不要となるためコストダウンを図れ、ＴＢＣ回路により、アナログＶＣＲの欠
点である再生ジッタおよび色むら（ＰＭノイズ）が除去された良好な画質の映像信号が得
られ、ＶＣＲ再生画質性能の改善を実現することができる。
【００２４】
また、ＤＶＤレコーダのＩ／Ｆ変換回路を経由してＶＣＲ再生信号を出力することによ
り、コストアップ無しにＶＣＲ再生出力のプログレッシブ化が可能になる。また、ＤＶＤ
レコーダのＯＳＤ回路を経由してＶＣＲ再生信号を出力することにより、ＶＣＲ側にＯＳ
Ｄ回路を搭載する必要が無くなり、装置のコストダウンが可能になる。また、ＤＶＤレコ
ーダの画質調整回路を経由してＶＣＲ再生信号を出力することにより、ＶＣＲ側に画質調
整回路を搭載する必要が無くなり、装置のコストダウンが可能になる。
【００２５】
また、本発明によれば、アナログ記録再生機器とデジタル記録再生機器とを備えた複合
型記録再生装置において、チューナーからのテレビ映像信号および外部入力端子からの映
像信号の何れかを選択して前記アナログ記録再生機器に出力する入力スイッチを備え、前
記アナログ記録再生機器の出力端子と前記デジタル記録再生機器の入力端子とを接続した
構成を有し、前記アナログ記録再生装置による再生を行う場合には、前記アナログ記録再
生機器からの再生映像信号を前記デジタル記録再生機器に備えられている映像信号処理回
路を介して表示装置へ出力するように構成したので、従来のようなアナログ記録再生機器
出力とデジタル記録再生機器出力との切り換えを行う出力スイッチが不要となるためコス
トダウンを図れると共に、アナログ記録再生機器の再生画質性能の改善を実現することが
できる。
【発明を実施するための最良の形態】
【００２６】
以下、添付図面を参照しつつ、本発明の実施の形態について説明する。図１は本発明の
一実施形態に係る複合型記録再生装置の構成を示すブロック図である。図１において、図
２に示す構成要素に対応するものには、同一の符号を付している。
【００２７】
図１に示すように、この複合型記録再生装置は、図示しないアンテナで受信したテレビ
ジョン放送信号から所望のチャンネルの映像音声信号を取り出すチューナー１と、記録媒
体としてのビデオテープ（磁気テープ）に映像音声信号を記録したり、ビデオテープに記
録された映像音声信号を再生したりするＶＣＲ部１３と、記録媒体としてのＤＶＤに映像
音声信号を記録したり、ＤＶＤに記録された映像音声信号を再生したりするＤＶＤレコー
ダ部１４と、チューナー１からのテレビ映像信号と外部入力端子７からの映像信号との何
れかを選択してＶＣＲ部１３に出力する入力スイッチ１２と、ＤＶＤレコーダ部１４から
の映像信号を増幅してプログレッシブ方式のテレビジョン受像機の表示装置（図示せず）
に出力する出力ドライバ６とを備えている。
【００２８】
ＶＣＲ部１３には、入力信号をそのままスルーパスするスルーパス回路１３１が含まれ
ている。ＤＶＤレコーダ部１４には、前述した図３に示すような映像信号処理回路の構成
要素が含まれている。図３については前述したので、ここでは説明を省略する。
【００２９】
入力スイッチ１２がチューナー１の出力側を選択している場合（共通接点１２１が接点
１２２に接続されている場合）には、チューナー１からの映像信号はＶＣＲ部１３に供給
される。そして、その映像信号を、ＶＣＲ部１３で記録する場合は、ＶＣＲ部１３を記録
モードに設定し記録を行い、ＤＶＤレコーダ部１４で記録を行う場合は、ＶＣＲ部１３の
スルーパス回路１３１を介してその映像信号をＤＶＤレコーダ部１４に供給し、ＤＶＤレ
コーダ部１４を記録モードに設定し記録を行う。
【００３０】
また、チューナー１からの映像信号をテレビジョン受像機に送りたい場合は、その映像
信号はＶＣＲ部１３のスルーパス回路１３１からＤＶＤレコーダ部１４に送られ、映像信
号は、例えば、図３に示すようなビデオデコーダ４１、ＴＢＣ回路４２、選択スイッチ４
６、画質調整回路４７、ＯＳＤ回路４８、Ｉ／Ｐ変換回路４９、ビデオエンコーダ５０、
および図１中の出力ドライバ６を通ってテレビジョン受像機の表示装置に供給される。こ
れにより、表示装置には、チューナー１で選局したテレビ番組が表示されることになる。
【００３１】
また、入力スイッチ１２が外部入力端子７を選択している場合（共通接点１２１が接点
１２３に接続されている場合）には、外部入力端子７に接続された他の再生機器などから
の映像信号はＶＣＲ部１３に供給される。そして、その映像信号を、ＶＣＲ部１３で記録
する場合は、ＶＣＲ部１３を記録モードに設定して記録を行い、ＤＶＤレコーダ部１４で
記録を行う場合は、ＶＣＲ部１３のスルーパス回路１３１を介してその映像信号をＤＶＤ
レコーダ部１４に供給し、ＤＶＤレコーダ部１４を記録モードに設定して記録を行う。
【００３２】
また、外部入力端子７からの映像信号をテレビジョン受像機に送りたい場合は、その映
像信号はＶＣＲ部１３のスルーパス回路１３１からＤＶＤレコーダ部１４に送られ、映像
信号は、例えば、図３に示すようなビデオデコーダ４１、ＴＢＣ回路４２、選択スイッチ
４６、画質調整回路４７、ＯＳＤ回路４８、Ｉ／Ｐ変換回路４９、ビデオエンコーダ５０
、および図１中の出力ドライバ６を通ってテレビジョン受像機の表示装置に供給される。
これにより、表示装置には、外部入力端子７からの映像信号による画像が表示されること
になる。
【００３３】
また、ＶＣＲ部１３からの再生信号をＤＶＤレコーダ１４でダビングする場合は、ＶＣ
Ｒ部１３を再生モードに設定し、ＤＶＤレコーダ１４を記録モードに設定することにより
、ビデオテープの情報をＤＶＤにダビングすることができる。
【００３４】
また、ＶＣＲ部１３でビデオテープを再生すると、ＶＣＲ部１３からはアナログの再生
信号（アナログ映像信号）が出力され、その再生信号はＤＶＤレコーダ部１４に送られ、
その再生信号のうちアナログ映像信号はＤＶＤレコーダ部１４の図３で示したような映像
信号処理回路に入力される。
【００３５】
その映像信号処理回路に供給された前記アナログ映像信号は、ビデオデコーダ４１でデ
コードされてデジタル映像信号に変換され、更に、そのデジタル映像信号は、ＴＢＣ回路
４２で時間軸が整えられて正規化される。即ち、そのデジタル映像信号がＴＢＣ回路４２
を通ることにより、アナログＶＣＲの欠点である再生ジッタおよび色むら（ＰＭノイズ）
が除去された良好な画質の映像信号が得られる。
【００３６】
そして、ＴＢＣ回路４２からのデジタル映像信号は、選択スイッチ４６を介して画質調
整回路４７へ入力される。このときは、選択スイッチ４６はＴＢＣ回路４２の出力側を選
択している。画質調整回路４７に入力されたＴＢＣ回路４２からのデジタル映像信号は、
画質調整処理（輝度調整、コントラスト調整、シャープネス調整など）が行われ、ＯＳＤ
回路４８に入力される。ＯＳＤ回路４８に入力されたデジタル映像信号は、図示しないＣ
ＰＵから指示された文字情報に対応するデジタル映像信号と加算される。
【００３７】
ＯＳＤ回路４８からのインターレースのデジタル映像信号は、Ｉ／Ｐ変換回路４９に入
力され、プログレッシブのデジタル映像信号に変換される。更に、そのプログレッシブの
デジタル映像信号は、ビデオエンコーダ５０に入力されてエンコードされ、プログレッシ
ブのアナログ映像信号に変換され、そのアナログ映像信号は図１中の出力ドライバ６へ出
力される。出力ドライバ６から出力されたプログレッシブのアナログ映像信号は、テレビ
ジョン受像機の表示装置に供給され、映像化される。
【００３８】
以上説明したように本実施形態によれば、従来のようなＶＣＲ出力とＤＶＤレコーダ出
力との切り換えを行う出力スイッチが不要となるためコストダウン図れ、ＴＢＣ回路によ
り、アナログＶＣＲの欠点である再生ジッタおよび色むら（ＰＭノイズ）が除去された良
好な画質の映像信号が得られ、ＶＣＲ再生画質性能の改善を実現することができる。
【００３９】
また、ＤＶＤレコーダのＩ／Ｆ変換回路を経由してＶＣＲ再生信号を出力することによ
り、コストアップ無しにＶＣＲ再生出力のプログレッシブ化が可能になる。また、ＤＶＤ
レコーダのＯＳＤ回路を経由してＶＣＲ再生信号を出力することにより、ＶＣＲ側にＯＳ
Ｄ回路を搭載する必要が無くなり、装置のコストダウンが可能になる。また、ＤＶＤレコ
ーダの画質調整回路を経由してＶＣＲ再生信号を出力することにより、ＶＣＲ側に画質調
整回路を搭載する必要が無くなり、装置のコストダウンが可能になる。
【００４０】
なお、上記実施形態では、アナログ記録再生機器としてＶＣＲを用いたが、これに限ら
ず、ＶＴＲ（ビデオテープレコーダ）でも良い。また、デジタル記録再生装置としてＤＶ
Ｄレコーダを用いたが、これに限らず、ＴＢＣ回路、画質調整回路、ＯＳＤ回路、および
Ｉ／Ｐ変換回路を含む映像信号処理回路を備えた記録再生装置であれば、同様な効果が得
られる。
【図面の簡単な説明】
【００４１】
【図１】本発明の一実施形態に係る複合型記録再生装置の構成を示すブロック図である。
【図２】従来の複合型記録再生装置の構成を示すブロック図である。
【図３】図１中または図２中のＤＶＤレコーダ部に備えられる映像信号処理回路の構成を示すブロック図である。
【符号の説明】
【００４２】
１    チューナー
７    外部入力端子
１２    入力スイッチ
１３    ＶＣＲ部
１４    ＤＶＤレコーダ部
４２    ＴＢＣ回路
４７    画質調整回路
４８    ＯＳＤ回路
４９    Ｉ／Ｐ変換回路
【図１】
2006100904.tif 000003
【図２】
2006100904.tif 000004
【図３】
2006100904.tif 000005